(57)【特許請求の範囲】
【請求項１】
パネル基板と，該パネル基板の幅方向両側に対向して起立した対向起立片と，該対向起立片の先端に配置したそれぞれ幅方向外方に向けた支持突片とを備えるとともに上記対向起立片をその長手方向一端側を幅広，他端側を幅狭とするように起立幅を変化して支持突片に対して上記パネル基板を傾斜配置してなることを特徴とする屋外構築物の屋根パネル。
【請求項２】
上記屋根パネルを，合成樹脂板又は金属板の幅方向両側に対向起立片と支持突片の曲げ加工を施すことによって一体に形成してなることを特徴とする請求項１に記載の屋外構築物の屋根パネル。
【請求項３】
上記屋根パネルを，採光性を有するポリカーボネート樹脂板としてなることを特徴とする請求項２に記載の屋外構築物の屋根パネル。
【請求項４】
上記対向起立片の起立幅変化を，パネル基板側の下端を傾斜し，支持突片側の上端を平行して行ってなることを特徴とする請求項１，２又は３に記載の屋外構築物の屋根パネル。
【請求項５】
請求項１乃至４のいずれかの屋外構築物の屋根パネルを用いて，屋根フレームの構造材の矩形空間にパネル基板を嵌挿し且つ支持突片をその対向する構造材に支持固定して，該屋根パネルを屋根フレームに対して勾配を付して配置してなることを特徴とする屋外構築物の屋根。
【請求項６】
上記屋根フレームを，その構造材を水平配置乃至緩傾斜配置した屋根フレームとしてなることを特徴とする請求項５に記載の屋外構築物の屋根。
【請求項７】
上記パネル基板の長手方向端部を，該長手方向端部に平行な構造材に支持固定してなることを特徴とする請求項５又は６に記載の屋外構築物の屋根。
【請求項８】
上記パネル基板の長手方向端部のうち下位側の支持固定を，構造材に配置した雨樋を介して行ってなることを特徴とする請求項５，６又は７に記載の屋外構築物の屋根。
【発明の詳細な説明】
【技術分野】
【０００１】
本願発明は，例えばバルコニー，ストックヤード，カーポート，テラス等の屋外構築物に好適に使用できる屋外構築物の屋根パネル及びこれを用いた屋外構築物の屋根に関する。
【背景技術】
【０００２】
この種の屋外構築物の屋根パネルは，外周を支持部位とした合成樹脂又は金属製にして平板をなすものとし，屋根フレームの構造材によって囲繞した矩形空間を被覆し且つ支持部位をその対向する構造材に支持固定するものとし，このとき一般に屋根フレームは，これを片流れ又は切妻状に傾斜することによって，該屋根パネルに配置した屋根パネルに勾配を付するものとしてあり，また屋根パネルが，例えば１ｍ程度以上の長さを有する場合には，強風時の吹上荷重や積雪荷重に対する屋根パネルの配置強度を確保するように，上記矩形空間の対向する構造材間に，例えば５０〜６０ｃｍのピッチで中骨を介設し，屋根パネルの長手方向中間を支持固定することによって，その面強度を確保して耐荷重性を確保するものとされる。
【０００３】
【特許文献１】特開２００６−１５２５５０号公報
【発明の開示】
【発明が解決しようとする課題】
【０００４】
この場合，屋根パネルは屋根フレームの傾斜角度に応じた勾配を付して配置したものとなるから，屋根パネルの雨水を流下するに適した屋外構築物の屋根を形成することができるが，屋根フレームを傾斜しないと屋根フレームに勾配を付することができないため，屋外構築物の屋根は常に傾斜した形態のものとなり，そのデザインが単調化するとともに屋根フレームに配置した中骨により屋根の下面が複雑化して煩雑な印象を与えるものとなるために，屋外構築物のデザインの自由度が制約される傾向を招き易い。
【０００５】
本発明はかかる事情に鑑みてなされたもので，その解決課題とするところは，水平や緩傾斜を含めて屋根フレームの配置角度に拘らず，常に勾配を付して配置し得るようにして屋外構築物のデザインの自由度を可及的に確保するとともにそれ自体強度に優れて，中骨の有無を問わずに吹上や積雪に対する耐荷重性を確保し得るようにした屋外構築物の屋根パネルを提供するにあり，また該屋根パネルを用いた屋外構築物の屋根を提供するにある。
【課題を解決するための手段】
【０００６】
上記課題に沿って本発明の屋根パネルは，パネル基板，その幅方向両側の対向起立片，その上端から幅方向両側にして外側に突出する支持突片によって幅方向に複雑断面形状をなすようにして強度確保を行うようにするとともにパネル基板と支持突片間の対向起立片の形状を長手方向に細長の三角形又は台形をなすようにして，パネル基板と支持突片を相互に傾斜配置することによって，支持突片を屋根フレームに支持固定したとき，パネル基板に勾配を付するようにしたものであって，即ち請求項１に記載の発明を，パネル基板と，該パネル基板の幅方向両側に対向して起立した対向起立片と，該対向起立片の先端に配置したそれぞれ幅方向外方に向けた支持突片とを備えるとともに上記対向起立片をその長手方向一端側を幅広，他端側を幅狭とするように起立幅を変化して支持突片に対して上記パネル基板を傾斜配置してなることを特徴とする屋外構築物の屋根パネルとしたものである。
【０００７】
請求項２に記載の発明は，上記に加えて，上記複雑断面形状にしてパネル基板と支持突片を傾斜配置した特殊形状をなす屋根パネルを，パネル基板の幅方向両側に曲げ加工を施して対向起立片及び支持突片を一体に形成した合成樹脂製又は金属製のものとすることによって，その生産を容易にして確実になし得るようにするとともに高度な防水性を確保したものとするように，これを，上記屋根パネルを，合成樹脂板又は金属板の幅方向両側に対向起立片と支持突片の曲げ加工を施すことによって一体に形成してなることを特徴とする請求項１に記載の屋外構築物の屋根パネルとしたものである。
【０００８】
請求項３に記載の発明は，同じく上記に加えて，上記屋根パネルを，屋外構築物の屋根として採光性と降雹等に対する耐衝撃性を備えるとともにその靭性によって冷間曲げ加工による上記対向起立片と支持突片の形成を容易になし得るようにした好ましい形態のものとするように，これを，上記屋根パネルを，採光性を有するポリカーボネート樹脂板としてなることを特徴とする請求項２に記載の屋外構築物の屋根パネルとしたものである。
【０００９】
請求項４に記載の発明は，同じく上記に加えて，上記対向起立片の起立幅変化を，その対向起立片における上下端の傾斜，上端傾斜にして下端水平，上端水平にして下端傾斜の形態のうちから，
該上端水平にして下端傾斜のものとして，良好な外観を確保したものとする一方，上記曲げ加工を行って対向起立片と支持突片を形成するときには，当初パネル基板に平行，次いで対向起立片に傾斜の曲げ加工とすることによって，該曲げ加工を容易になし得るものとするように，これを，上記対向起立片の起立幅変化を，パネル基板側の下端を傾斜し，支持突片側の上端を平行して行ってなることを特徴とする請求項１，２又は３に記載の屋外構築物の屋根パネルとしたものである。
【００１０】
請求項５に記載の発明は，上記屋根パネルを用いることによって，水平や緩傾斜を含めて屋根フレームの配置角度に拘らず，常に勾配を付して屋根パネルを配置し得るようにしてデザインの自由度を可及的に確保するとともに屋根パネルの優れたそれ自体の強度によって，中骨の有無を問わずに吹上や積雪に対する耐荷重性を確保し得るようにした屋外構築物の屋根を提供するように，これを，請求項１乃至４のいずれかの屋外構築物の屋根パネルを用いて，屋根フレームの構造材の矩形空間にパネル基板を嵌挿し且つ支持突片をその対向する構造材に支持固定して，該屋根パネルを屋根フレームに対して勾配を付して配置してなることを特徴とする屋外構築物の屋根としたものである。
【００１１】
請求項６に記載の発明は，上記に加えて，屋根フレームを水平配置のものとし，または緩傾斜のものとして，可及的にデザインを良好としたものとするように，これを，上記屋根フレームを，その構造材を水平配置乃至緩傾斜配置した屋根フレームとしてなることを特徴とする請求項５に記載の屋外構築物の屋根としたものである。
【００１２】
請求項７に記載の発明は，同じく上記に加えて，屋根フレームに対する幅方向両側の支持突片の支持固定に加えて，パネル基板の長手方向両側を屋根フレームに支持固定することによって，屋根フレームに対して屋根パネルを安定且つ確実に支持するとともに漏水のない屋根とするように，これを，上記パネル基板の長手方向端部を，該長手方向端部に平行な構造材に支持固定してなることを特徴とする請求項５又は６に記載の屋外構築物の屋根としたものである。
【００１３】
請求項８に記載の発明は，同じく上記に加えて，勾配を付して配置した屋根パネルの雨水流下を雨樋で受けるようにして，屋外構築物の屋根として，その完成度を高度化したものとするように，これを，上記パネル基板の長手方向端部のうち下位側の支持固定を，構造材に配置した雨樋を介して行ってなることを特徴とする請求項５，６又は７に記載の屋外構築物の屋根としたものである。
【００１４】
本発明は，これらをそれぞれ発明の要旨として，上記課題解決の手段としたものである。
【発明の効果】
【００１５】
本発明は以上のとおりに構成したから，請求項１に記載の発明は，パネル基板，その幅方向両側の対向起立片，その上端から幅方向両側にして外側に突出する支持突片によって幅方向に複雑断面形状をなすようにして強度確保を行うようにするとともにパネル基板と支持突片間の対向起立片の形状を長手方向に細長の三角形又は台形をなすようにして，パネル基板と支持突片を相互に傾斜配置することによって，支持突片を屋根フレームに支持固定したとき，パネル基板に勾配を付するようにし，水平や緩傾斜を含めて屋根フレームの配置角度に拘らず，常に勾配を付して配置し得るようにして屋外構築物のデザインの自由度を可及的に確保するとともにそれ自体強度に優れて，中骨の有無を問わずに吹上や積雪に対する耐荷重性を確保し得るようにした屋外構築物の屋根パネルを提供することができる。
【００１６】
請求項２に記載の発明は，上記に加えて，上記複雑断面形状にしてパネル基板と支持突片を傾斜配置した特殊形状をなす屋根パネルを，パネル基板の幅方向両側に曲げ加工を施して対向起立片及び支持突片を一体に形成した合成樹脂製又は金属製のものとすることによって，その生産を容易にして確実になし得るようにするとともに高度な防水性を確保したものとすることができる。
【００１７】
請求項３に記載の発明は，同じく上記に加えて，上記屋根パネルを，屋外構築物の屋根として採光性と降雹等に対する耐衝撃性を備えるとともにその靭性によって冷間曲げ加工による上記対向起立片と支持突片の形成を容易になし得るようにした好ましい形態のものとすることができる。
【００１８】
請求項４に記載の発明は，同じく上記に加えて，上記対向起立片の起立幅変化を，その対向起立片における上下端の傾斜，上端傾斜にして下端水平，上端水平にして下端傾斜の形態のうちから，該上端水平にして下端傾斜のものとして，良好な外観を確保したものとする一方，上記曲げ加工を行って対向起立片と支持突片を形成するときには，当初パネル基板に平行，次いで対向起立片に傾斜の曲げ加工とすることによって，該曲げ加工を容易になし得るものとすることができる。
【００１９】
請求項５に記載の発明は，上記屋根パネルを用いることによって，水平や緩傾斜を含めて屋根フレームの配置角度に拘らず，常に勾配を付して屋根パネルを配置し得るようにしてデザインの自由度を可及的に確保するとともに屋根パネルの優れたそれ自体の強度によって，中骨の有無を問わずに吹上や積雪に対する耐荷重性を確保し得るようにした屋外構築物の屋根を提供することができる。
【００２０】
請求項６に記載の発明は，上記に加えて，屋根フレームを水平配置のものとし，または緩傾斜のものとして，可及的にデザインを良好としたものとすることができる。
【００２１】
請求項７に記載の発明は，同じく上記に加えて，屋根フレームに対する幅方向両側の支持突片の支持固定に加えて，パネル基板の長手方向両側を屋根フレームに支持固定することによって，屋根フレームに対して屋根パネルを安定且つ確実に支持するとともに漏水のない屋根とすることができる。
【００２２】
請求項８に記載の発明は，同じく上記に加えて，勾配を付して配置した屋根パネルの雨水流下を雨樋で受けるようにして，屋外構築物の屋根として，その完成度を高度化したものとすることができる。
【発明を実施するための最良の形態】
【００２３】
以下図面の例に従って本発明を更に具体的に説明すれば，１は屋根パネルであり，該屋根パネル１は，パネル基板１０と，該パネル基板１０の幅方向両側に対向して起立した対向起立片１１と，該対向起立片１１の先端に配置したそれぞれ幅方向外方に向けた支持突片１２とを備えるとともに上記対向起立片１１をその長手方向一端側を幅広，他端側を幅狭とするように起立幅を変化して支持突片１２に対して上記パネル基板１０を傾斜配置したものとしてある。
【００２４】
本例にあって該屋根パネル１における上記対向起立片１１の起立幅変化は，これを，パネル基板側の下端を傾斜し，支持突片側の上端を平行して行ったものとし，また上記屋根パネル１は，これを合成樹脂板又は金属板の幅方向両側に対向起立片１１と支持突片１２の曲げ加工を施すことによって一体に形成したものとしてある。
【００２５】
屋根パネル１は，採光性を有するポリカーボネート樹脂板によるものとし，該ポリカーボネート樹脂板に上記幅方向両側の対向起立片１１と支持突片１２の曲げ加工を施して形成した一体のものとし，例えばその肉厚を２ｍｍとした厚肉にして，その幅を７５ｃｍの幅広とする一方，該肉厚及び幅を共通としてその長さを１ｍと１．５ｍとした平面矩形をなす長短複数，特に２種としたものとしてある。
【００２６】
パネル基板１０と支持突片１２の傾斜角度は，屋根フレーム２に配置したとき，該屋根フレーム２に対して所定の勾配をなすように，対向起立片１１を，例えば６±２度の範囲で傾斜してあり，本例にあって該傾斜の角度は，１ｍ長さのものにあっては５度，１．５ｍのものにあっては３度として，その長さに応じて変化してある。このとき対向起立片１１は，その側面視の形状を長手方向に長い三角形又は台形，本例にあっては長手方向両端の高さを長辺側で，例えば５〜１０ｃｍ，短片側で１〜３ｃｍとする如くにした台形をなすものとしてある。
【００２７】
ポリカーボネート樹脂板への曲げ加工は，冷間加工によってこれを行ってある。即ちポリカーボネート樹脂は靭性に優れるために，他の合成樹脂板の如くに熱間加工を行うことなく，その対向起立片１１と支持突片１２の機械的な加工が可能であるため，例えばプレス機を用いた曲げ加工を行ってある。本例にあって屋根パネル１は，幅方向にパネル基板１０と対向起立片１１を画する内側平行線，該平行線の外側に対向起立片１１の上端と支持突片１２を画する上記平行線に対して傾斜する一対の中間傾斜線，該傾斜線の外側に支持突片の端部を画する該傾斜線に対して平行な端部平行線を，それぞれ平板に配置又は仮想配置し，上記内側平行線，中間傾斜線に沿ってそれぞれ直角をなすように曲げ加工を施し，また端部平行線に沿って事前又は事後に切断を施すことによって，これを生産するものとしてある。
【００２８】
以上のように構成した屋根パネル１は，これを用いて，屋根フレーム２の構造材の矩形空間にパネル基板１０を嵌挿し且つ支持突片１２をその対向する構造材２０ｂに支持固定して，該屋根パネル１を屋根フレーム２に対して勾配を付して配置して，屋外構築物の屋根を形成するものとしてあり，このとき上記屋根フレーム２は，これを，その構造材を水平配置乃至緩傾斜配置した屋根フレーム，本例にあっては水平配置の屋根フレームとしてあり，また該屋根パネル１は，その上記パネル基板１０の長手方向端部を，該長手方向端部に平行な構造材に支持固定してあり，このとき上記パネル基板１０の長手方向端部のうち下位側の支持固定を構造材２０ａに配置した雨樋２０ｄを介して行ったものとしてある。
【００２９】
即ち本例の屋根フレームは，構造材，即ち端部構造材２０ａとして桁材，梁材，該端部構造材２０ａ間を区分する区分構造材２０ｂとして架設材を組合せ使用して，図４のように１列の矩形空間を形成するように，また更に区分構造材２０ｂに交差する交差構造材２０ｃとして棟木を追加的に使用して，図８のように複数列，例えば２列の矩形空間を形成するように，これら構造材を水平をなすように枠組みして，該１列又は複数列の矩形空間を幅方向に多数並列配置したアルミ製のものとしてあり，該屋根フレーム２の矩形空間にはそれぞれ屋根パネル１を配置することによって水平の屋根を形成するものとしてある。本例にあって上記矩形空間は，屋根パネル１のパネル基板１０に略等しい面積にして該パネル基板１０を受入れ可能なものとしてあり，これによって該矩形空間にパネル基板１０を嵌挿するとともに幅方向両側の支持突片１２を，対向する上記区分構造材２０ｂの上面に載置して各屋根パネル１を支持する一方，その支持突片１２上に，該支持突片１２の全長に亘る長尺の又は間欠的に該支持突片１２を押える短尺乃至短寸にしてその突出幅を覆う幅を有するパネル固定部材２２を載置し，区分構造材２０ｂとパネル固定部材２２間に支持突片１２を挟持した状態で，該パネル固定部材２２を区分構造材２０ｂにネジ２７止めして，その固定を行ったものとしてある。
【００３０】
このとき該支持突片１２にはその先端の全長に止水ビートによる水密材２８を配置して，支持突片１２と区分構造材２０ｂとの隙間から雨水が屋根パネル１の下面に浸入するのを防止してあり，また上記パネル固定部材２２には支持突片１２の全長に亘るようにカバー材２３を，例えばパネル固定部材２２とカバー材２３に形成した一方の突条，他方の受条を相互に係合することによってスナップイン係止又はスライド係止して配置して，パネル固定部材２２を該カバー材２３で被覆カバーしてある。
【００３１】
即ち屋根パネル１を１列とした図４の屋根において，該屋根パネル１は，その長手方向両端部のうち上位側の端部を，端部構造材２０ａにおける矩形空間内の上方位置にネジ止めして配置した端部受材２４上に載置するとともにその上面側に，例えば該端部受材２４の全長に亘る押え材２５を載置し，支持突片１２におけると同様に該端部受材２４と押え材２５間にパネル基板１０の端部を挟持した状態で，該押え材２５を端部受材２４にネジ２７止めして，該端部受材２４を介して端部構造材２０ａに対する支持固定を行ってあり，このとき該端部受材２４及び押え材２５に水密材２８を配置して屋根パネル１の下面側に雨水が浸入するのを防止して，屋根の水密性を確保したものとしてある。また長手方向両端部のうち下位側の端部は，上記のとおり雨樋２０ｄを介してその支持固定を行ってあり，該下位側の端部は，端部構造材２０ａにおける矩形空間内の下方位置にネジ止めして配置した雨樋２０ｄ上に載置するとともに該雨樋２０ｄの上面側に，その全長又は間欠的な短尺乃至短寸に設置したパネル止め具２６によって，パネル基板１０の端部上面を雨樋２０ｄに引寄せ支持するように固定することによって，同じく雨樋２０ｄとパネル止め具２６間にパネル基板１０の端部を挟持した状態として，その支持固定を行ったものとしてある。このとき同じく雨樋２０ｄに水密材２８を配置して屋根パネル１の下面側に雨水が浸入するのを防止して屋根の水密性を確保してある。
【００３２】
また屋根パネル１を２列とした図８の屋根において，屋根パネル１の長手方向両端部のうち上位側の端部は交差構造材２０ｃの棟木に対して支持固定してあり，支持突片１２及び下位側の端部は，上記図４の屋根と同様にその支持固定を行ってある。交差構造材２０ｃは，例えば割型の複数部材としてあり，隣接する区分構造材２０ｂ間の長手方向中央位置に該区分構造材２０ｂに直交するように架設固定することによって該区分構造材２０ｂの長手方向にその空間を２区分して２列の矩形空間を形成してあり，該上位側の端部の交差構造材２０ｃによる支持固定は，交差構造材２０ｃに配置した幅方向両側の受座に該上位側の端部を載置するとともにこれに交差構造材２０ｃの押え材２５を載置し，同じく交差構造材２０ｃと押え材２５間に端部を挟持した状態で，押え材２５を交差構造材２０ｃにネジ２７止めすることによってこれを行ったものとしてある。このときも同じく交差構造材２０ｃ及び押え材２５にそれぞれ水密材２８を配置して屋根パネル１の下面側に雨水が浸入するのを防止して屋根の水密性を確保してある。
【００３３】
図中３は屋根フレーム２を支持する支柱，２１は，端部構造材２０ａに区分構造材２０ｂを固定するために該端部構造材２０ａに設置し，また区分構造材２０ｂに交差構造材２０ｃを固定するために架設材に設置した連結金具，２９は，屋根に部分的に配置した屋根パネル１非設置の開放空間を示す。
【００３４】
このように形成した屋根にあって，屋根パネル１は，幅広のパネル基板１０の幅方向両側に逆Ｌ字状をなすように対向起立片１１と支持突片１２を一体に配置するとともに対向起立片１１の幅を幅広から幅狭に変化した，長手方向に複雑断面形状を呈するそれ自体優れた強度を有するものとなる結果，屋根パネル１として耐荷重性を充分に確保したものとなし得る。その長手方向中間をこれに交差する中骨を用いて該中骨によって支持固定するような補強が必要でなくなり，屋外構築物の屋根に用いて吹上げや積雪に対する強度を備えたものとすることができる。また該屋根パネル１は，パネル基板１０と支持突片１２を相互に傾斜配置した一体のものとしたから，屋根フレーム２の配置角度に拘らず，屋根フレーム２に対して常に勾配を付した配置が可能となり，従って屋根フレーム２を水平や緩傾斜のものとして，これに屋根パネル１を配置することによって，従来見られない水平や緩傾斜の屋根を含めて屋外構築物やその屋根のデザインの自由度を可及的高度に確保することができるとともに常に得られる勾配によって雨水の良好な排出をなし得るものとすることができる。また本例にあっては採光性を有するポリカーボネート樹脂を用いて，これに冷間加工を施すことによって一体の屋根パネル１としたから，その生産が可及的に容易である上，屋根の採光性と高度な防水性を確保したものとなって屋外構築物に好適にして且つ汎用的に使用することが可能となる。
【００３５】
図示した例は以上のとおりとしたが，屋根パネルを，アルミ，鋼板等の金属製とし，ＦＲＰのように補強合成樹脂やＡｌＣ等，合成樹脂製乃至金属製以外の材料によるものとすること，対向起立片の起立幅変化を，パネル基板側の下端を水平とし，支持突片側の上端を傾斜して行い，また上下端の双方を傾斜したものとすること，屋根パネルの長手方向端部を載置する受座を端部構造材に一体成型したものとすること，この場合を含めて，屋根パネルの長手方向端部に，屋根フレームの端部構造材に対して水平に載置する水平の水平部位を配置し，該水平部位を端部構造材乃至これに配置した受座，端部受材乃至雨樋に支持固定すること，屋根フレームを緩傾斜したものとし，また従前の屋根と同様に傾斜したものとして構成すること，屋根フレームを３列又はそれ以上の列の矩形空間を備えるように構造材を配置し，該矩形空間に屋根パネルを配置したものとすること，屋外構築物を，支柱に屋根を片持ちしたものとすること等の形態を含めて，本発明の実施に当って，屋根パネル，そのパネル基板，対向起立片，支持突片，屋外構築物，屋根，屋根フレーム，その端部，区分及び交差の各構造材，必要に応じて用いる雨樋，受材等の各具体的形状，構造，材質，数，寸法，用途，生産方法，これらの関係，これらに対する付加等は，上記発明の要旨に反しない限り，様々な形態のものとすることができる。
【図面の簡単な説明】
【００３６】
【図１】屋根パネルの斜視図である。
【図２】屋根パネルの側面図である。
【図３】屋根パネルの平面図である。
【図４】屋根パネルを１列とした屋外構築物の斜視図である。
【図５】１列の屋根パネルと構造材の関係を示す斜視図である。
【図６】図４の屋根パネルの支持突片と端部構造材の関係を示す縦断面図である。
【図７】図４の屋根パネルの長手方向上位側と端部構造材の関係を示す縦断面図である。
【図８】屋根パネルを２列とした屋外構築物の斜視図である。
【図９】２列の屋根パネルと構造材の関係を示す斜視図である。
【図１０】図８の屋根パネルの支持突片と区分構造材の関係を示す縦断面図である。
【図１１】図８の屋根パネルの長手方向下位側と雨樋の関係を示す縦断面図である。
【図１２】図８の屋根パネルの長手方向上位側と交差構造材の関係を示す縦断面図である。
【図１３】屋根下面の形態を示す部分斜視図である。
【符号の説明】
【００３７】
１  屋根パネル
１０  パネル基板
１１  対向起立片
１２  支持突片
２  屋根フレーム
２０ａ  端部構造材
２０ｂ  区分構造材
２０ｃ  交差構造材
２０ｄ  雨樋
２１  構造材連結金具
２２  パネル固定部材
２３  カバー材
２４  端部受材
２５  押え材
２６  パネル止め具
２７  ネジ
２８  水密材
２９  開放空間
３  支柱
【図１】
0005065938.tif 000002
【図２】
0005065938.tif 000003
【図３】
0005065938.tif 000004
【図４】
0005065938.tif 000005
【図５】
0005065938.tif 000006
【図６】
0005065938.tif 000007
【図７】
0005065938.tif 000008
【図８】
0005065938.tif 000009
【図９】
0005065938.tif 000010
【図１０】
0005065938.tif 000011
【図１１】
0005065938.tif 000012
【図１２】
0005065938.tif 000013
【図１３】
0005065938.tif 000014